(57)【要約】【課題】プロジェクタに対する投写表示に関するパラメータの調整を容易に行い得るデジタルカメラを提供する。【解決手段】プロジェクタ３との間で通信可能な通信部１６と、通信部１６を制御する制御部１７とを備え、制御部１７は、通信部１６を介して制御信号Ｓｃをプロジェクタ３に送信してプロジェクタ３に対して投写表示に関するパラメータを調整させるパラメータ調整処理を実行する。これにより、デジタルカメラ２を操作することでプロジェクタ３に対するパラメータの調整を行うことが可能となる。【選択図】図３
2008079070.tif 000002
【特許請求の範囲】
【請求項１】
プロジェクタとの間で通信可能な通信部と、前記通信部を制御する制御部とを備えたデジタルカメラであって、
前記制御部は、前記通信部を介して制御信号を前記プロジェクタに送信して当該プロジェクタに対して投写表示に関するパラメータを調整させるパラメータ調整処理を実行するデジタルカメラ。
【請求項２】
画像データを記録する記録部を備え、
前記制御部は、前記記録部に記録されている前記画像データの中から選択された当該画像データを前記通信部を介して前記プロジェクタに送信する請求項１記載のデジタルカメラ。
【請求項３】
前記画像データに基づく画像を表示する表示部を備え、
前記制御部は、前記パラメータ調整処理において前記パラメータの調整結果を反映した状態で前記画像を前記表示部に表示させる請求項２記載のデジタルカメラ。
【請求項４】
前記プロジェクタによって投写表示された投写画像を撮像した撮像画像を表示する表示部を備え、
前記制御部は、前記パラメータ調整処理において前記撮像画像を前記表示部に表示させる請求項２記載のデジタルカメラ。
【請求項５】
前記制御部は、前記通信部が前記プロジェクタとの間で通信可能な状態となったときに、前記パラメータを調整するための調整用画像の前記プロジェクタによる投写表示を禁止させる請求項１から４のいずれかに記載のデジタルカメラ。
【請求項６】
請求項１から５のいずれかに記載のデジタルカメラと、当該デジタルカメラとの間で通信可能なプロジェクタとを備えている画像表示システム。
【請求項７】
プロジェクタに対して画像の投写表示に関するパラメータを調整させるパラメータ調整方法であって、
前記プロジェクタとの間で通信可能な通信部を備えたデジタルカメラから当該通信部を介して制御信号を当該プロジェクタに送信して当該プロジェクタに対して前記パラメータを調整させるパラメータ調整方法。
【発明の詳細な説明】
【技術分野】
【０００１】
本発明は、プロジェクタとの間で通信可能な通信部を備えたデジタルカメラ、そのデジタルカメラを備えた画像表示システム、およびそのデジタルカメラを用いてプロジェクタに対して投写表示に関するパラメータを調整させるパラメータ調整方法に関するものである。
【背景技術】
【０００２】
この種のデジタルカメラとして、特開２００１−１９７３４０号公報に開示されたデジタルカメラが知られている。このデジタルカメラは、撮像デバイスＣＣＤ、Ａ／Ｄ変換器、デジタル信号処理部、フレームメモリおよび液晶パネル等を備えて構成されている。このデジタルカメラでは、デジタル信号処理部が、Ａ／Ｄ変換器から出力された画像データまたは外部メモリから読み出した画像データをフレームメモリに展開する。また、デジタル信号処理部が、フレームメモリに展開した画像データに基づいて生成したアナログＲＧＢ信号およびビデオ信号を、液晶パネルおよびＴＶモニタにそれぞれ出力する。これにより、画像データに基づく画像が液晶パネルおよびＴＶモニタの双方に表示される。
【特許文献１】特開２００１−１９７３４０号公報（第４頁、第１図）
【発明の開示】
【発明が解決しようとする課題】
【０００３】
ところが、上記のデジタルカメラには以下の問題点が存在する。すなわち、このデジタルカメラに記録されている画像（以下、「記録画像」ともいう）をプロジェクタを用いて投写表示させる際には、デジタルカメラからプロジェクタに対するデータ送信等の操作に加えて、コントラスト、色調、ブライトネス、画質、ズーム、フォーカスおよび台形歪み（キーストーン）等の投写表示に関する各種のパラメータ、つまりプロジェクタに特有のパラメータの調整が必要となる。この場合、プロジェクタに対する各パラメータの調整は、一般的に、プロジェクタ本体の操作部やプロジェクタ専用のリモコンを用いて行われる。しかしながら、一般ユーザがプロジェクタ本体やプロジェクタ専用のリモコンを操作する機会は少なく、これらの操作に対する一般ユーザの習熟度は、デジタルカメラの操作に対する習熟度と比較して低いことが多い。このため、プロジェクタに対してパラメータの調整を正確に行うのが困難であり、この点の改善が望まれている。また、一般的に、プロジェクタでは、使用開始時において調整用画像をＯＳＤ（On Screen Display ）表示して、その調整用画像を用いて上記のパラメータの調整が行われる。しかしながら、例えば、プレゼンテーションにおいてプロジェクタを用いて記録画像を投写表示させている最中にパラメータの調整が必要となったときには、調整用画像のＯＳＤ表示によって記録画像が隠されるという不都合や、調整用画像の表示によってその場の雰囲気が害されるという不都合が生じることがあり、この点の改善も望まれている。
【０００４】
本発明は、かかる問題点に鑑みてなされたものであり、プロジェクタに対する投写表示に関するパラメータの調整を容易に行い得るデジタルカメラ、画像表示システムおよびパラメータ調整方法を提供することを主目的とする。また、プロジェクタによって調整用画像が投写表示されることに起因する不都合を解消し得るデジタルカメラを提供することを他の目的とする。
【課題を解決するための手段】
【０００５】
上記目的を達成すべく本発明に係るデジタルカメラは、プロジェクタとの間で通信可能な通信部と、前記通信部を制御する制御部とを備え、前記制御部は、前記通信部を介して制御信号を前記プロジェクタに送信して当該プロジェクタに対して投写表示に関するパラメータを調整させるパラメータ調整処理を実行する。
【０００６】
また、本発明に係るパラメータ調整方法は、プロジェクタに対して画像の投写表示に関するパラメータを調整させるパラメータ調整方法であって、前記プロジェクタとの間で通信可能な通信部を備えたデジタルカメラから当該通信部を介して制御信号を当該プロジェクタに送信して当該プロジェクタに対して前記パラメータを調整させる。
【０００７】
このデジタルカメラおよびパラメータ調整方法によれば、デジタルカメラから通信部を介して制御信号をプロジェクタに送信してプロジェクタに対してパラメータを調整させることにより、比較的操作する機会の少ないプロジェクタの操作部やプロジェクタ専用のリモコンを用いることなく、使い慣れたデジタルカメラを操作することでプロジェクタに対するパラメータの調整を行うことができる。したがって、このデジタルカメラおよびパラメータ調整方法によれば、プロジェクタに対するパラメータの調整を十分正確かつ十分容易に行うことができる。
【０００８】
また、本発明に係るデジタルカメラは、画像データを記録する記録部を備え、前記制御部が、前記記録部に記録されている前記画像データの中から選択された当該画像データを前記通信部を介して前記プロジェクタに送信する。
【０００９】
このデジタルカメラによれば、記録部に記録されている画像データの中から選択された画像データを通信部を介してプロジェクタに送信することにより、デジタルカメラを用いて撮像して記録した画像データに基づく画像をプロジェクタを用いて投写表示させる際に、画像データの選択操作に引き続いてパラメータの調整操作を行うことができる。このため、例えば、画像データ（画像）を切り替えたときに、パラメータの調整が必要となったとしても、その状況に即座に対応することができる。
【００１０】
また、本発明に係るデジタルカメラは、前記画像データに基づく画像を表示する表示部を備え、前記制御部が、前記パラメータ調整処理において前記パラメータの調整結果を反映した状態で前記画像を前記表示部に表示させる。
【００１１】
このデジタルカメラによれば、パラメータの調整結果を反映した状態で画像を表示部に表示させることにより、プロジェクタによってスクリーンに投写表示された画像を視認することなく、表示部に表示されている画像を視認することでパラメータの変化を確認することができる。したがって、例えば、スクリーンに背を向けた姿勢のままでパラメータを調整することができるため、このような姿勢での使用が想定されるプレゼンテーション等における使用の際の利便性を十分に向上させることができる。
【００１２】
また、本発明に係るデジタルカメラは、前記プロジェクタによって投写表示された投写画像を撮像した撮像画像を表示する表示部を備え、前記制御部が、前記パラメータ調整処理において前記撮像画像を前記表示部に表示させる。
【００１３】
このデジタルカメラによれば、パラメータを調整する際に撮像画像を表示部に表示させることにより、例えば、フォーカスのずれや台形歪みのように、投写光を投写して画像を投写表示することに起因して発生するプロジェクタに特有のパラメータを調整する場合においても、プロジェクタによって投写表示された画像を視認することなく、表示部に表示されている撮像画像を視認することでこれらのパラメータの変化を確認することができる。
【００１４】
また、本発明に係るデジタルカメラは、前記制御部が、前記通信部が前記プロジェクタとの間で通信可能な状態となったときに、前記パラメータを調整するための調整用画像の前記プロジェクタによる投写表示を禁止させる。
【００１５】
このデジタルカメラによれば、通信部とプロジェクタとが通信可能な状態となったときに、パラメータを調整するための調整用画像のプロジェクタによる投写表示を禁止することにより、例えば、プレゼンテーションにおいてプロジェクタを用いて画像を投写表示させている最中にパラメータの調整が必要となったとしても、調整用画像を投写表示させることなくパラメータの調整を行うことができる。このため、調整用画像の表示によって画像が隠されたり、調整用画像の表示によってその場の雰囲気が害されたりする不都合を確実に解消することができる。
【００１６】
また、本発明に係る画像表示システムは、上記のデジタルカメラと、当該デジタルカメラとの間で通信可能なプロジェクタとを備えている。
【００１７】
この画像表示システムによれば、上記のデジタルカメラとプロジェクタとを備えたことにより、上記のデジタルカメラが有する効果と同様の効果を実現することができる。
【発明を実施するための最良の形態】
【００１８】
以下、本発明に係るデジタルカメラ、画像表示システムおよびパラメータ調整方法の最良の形態について、添付図面を参照して説明する。図１に示す画像表示システム１は、本発明における画像表示システムの一例であって、デジタルカメラ２およびプロジェクタ３を備えて構成されている。デジタルカメラ２は、同図に示すＵＳＢ（Universal Serial Bus）ケーブル４等の通信インターフェイスを介してプロジェクタ３に画像データＤｇ（図３参照）を送信する。また、デジタルカメラ２は、ＵＳＢケーブル４を介してプロジェクタ３との間で制御信号Ｓｃ（同図参照）を送受信することにより、本発明に係るパラメータ調整方法に従い、プロジェクタ３に対して投写表示に関する各種のパラメータ（例えば、コントラスト、色調、ブライトネス、画質、ズーム、フォーカスおよび台形歪みなど）を調整することが可能に構成されている。具体的には、デジタルカメラ２は、同図に示すように、撮像部１１、画像データ記憶部１２、ＲＯＭ１３、表示部１４、操作部１５、通信部１６および制御部１７を備えて構成されている。
【００１９】
撮像部１１は、レンズ、レンズによって集光された光学画像を電気信号に変換するＣＣＤ（Charge Coupled Device）などの光電変換素子、および光電変換素子によって変換された電気信号をアナログ−デジタル変換して画像データＤｇを出力するＡ／Ｄ変換回路などを備えて構成されている。画像データ記憶部１２は、本発明における記録部に相当し、不揮発性メモリで構成され、撮像部１１によって出力されて制御部１７によって転送された画像データＤｇを記憶する。ＲＯＭ１３は、制御部１７の動作プログラムや、後述する調整用画像Ｇａ用の画像データＤｇを記憶する。
【００２０】
表示部１４は、例えばＬＣＤ（Liquid Crystal Display）で構成されて、図２に示すようにデジタルカメラ２の背面側に配設されている。また、表示部１４は、制御部１７の制御に従い、画像データＤｇに基づく記録画像Ｇｒ（図４参照）や、パラメータの調整に用いられる調整用画像Ｇａ（図６参照）などの各種画像を表示する。操作部１５は、図２に示すように、電源スイッチ２１、ズームスイッチ２２、シャッターボタン２３、モード切替スイッチ２４、カーソルキー２５、決定キー２６、送信スイッチ２７および調整用撮像ボタン２８などの各種のスイッチやキーが配列されて構成され、これらが操作されたときに、操作信号Ｓｏを制御部１７に出力する。通信部１６は、ＵＳＢインターフェース、ＩＥＥＥ１３９４インターフェースおよびＩｒＤＡインターフェースなどのデジタルインターフェースを備えて構成されている。また、通信部１６は、ＵＳＢケーブル４等を介してプロジェクタ３の通信部３２に接続された状態において、制御部１７の制御に従って画像データＤｇや制御信号Ｓｃを送信すると共に、デジタルカメラ２から送信されたパラメータデータＤｐをプロジェクタ３の通信部３２が受信する。
【００２１】
制御部１７は、ＲＯＭ１３に記録されている動作プログラムに従って作動して、操作部１５から出力された操作信号Ｓｏに従ってデジタルカメラ２を構成する各構成要素を制御する。この場合、制御部１７は、操作部１５の送信スイッチ２７に対応する操作信号Ｓｏが出力されたときには、通信部１６を介してプロジェクタ３に対して画像データＤｇを送信する。また、制御部１７は、操作部１５のモード切替スイッチ２４が操作されて、調整モードに切り替える旨の操作信号Ｓｏが出力されたときには、図５に示すパラメータ調整処理５０を実行する。
【００２２】
一方、プロジェクタ３は、図４に示すように、スクリーン１００に投写光Ｌを投写することにより、各種の画像（一例として、同図に示す記録画像Ｇｒ）を投写表示可能に構成されている。具体的には、プロジェクタ３は、図３に示すように、制御部３１、通信部３２、ＲＯＭ３３、画像処理部３４および投写部３５を備えて構成されている。制御部３１は、ＲＯＭ３３に記録されている動作プログラムに従って作動し、プロジェクタ３を構成する各構成要素を制御する。
【００２３】
通信部３２は、ＵＳＢケーブル４等を介してデジタルカメラ２の通信部１６に接続された状態において、デジタルカメラ２から送信された画像データＤｇおよび制御信号Ｓｃを受信する。また、通信部３２は、制御部３１の制御に従い、制御部３１から出力されたパラメータデータＤｐをデジタルカメラ２に送信する。ＲＯＭ３３は、制御部３１の動作プログラムを記憶する。画像処理部３４は、デジタルカメラ２から送信された画像データＤｇに基づいて画像表示用の表示用データＤｉを生成する。投写部３５は、光源、光変調素子および投写レンズを備えて構成され、画像処理部３４によって生成される表示用データＤｉに基づいて光変調した投写光Ｌを投写する。
【００２４】
次に、画像表示システム１の使用方法の一例、およびその際の画像表示システム１の全体的な動作について、図面を参照して説明する。まず、画像表示システム１を構成するデジタルカメラ２を用いて被写体を撮像する際には、操作部１５のモード切替スイッチ２４を操作して撮像（撮影）モードに切り替えた後に、ズームスイッチ２２を操作してズーミングを行い、次いで、シャッターボタン２３を操作する。この際に、撮像部１１が被写体の光学画像を画像データＤｇに変換して出力し、制御部１７が画像データＤｇを画像データ記憶部１２に記憶させる。これにより、１回の撮像が終了し、引き続いて撮像を行うときには、上記の操作を繰り返して実行する。
【００２５】
一方、画像データＤｇに基づく記録画像Ｇｒをプロジェクタ３を用いてスクリーン１００に投写表示させる際には、まず、図１に示すように、デジタルカメラ２の通信部１６およびプロジェクタ３の通信部３２における各々の接続端子同士を例えばＵＳＢケーブル４によって接続する。この際に（本発明における、通信部がプロジェクタとの間で通信可能な状態となったときに）、制御部１７が、プロジェクタ３によるパラメータ調整用画像の表示を禁止する旨の制御信号Ｓｃを通信部１６を介してプロジェクタ３に出力する。これに応じて、プロジェクタ３の制御部３１は、画像データＤｇが通信部３２を介して入力したとしても調整用画像を投写表示させない状態（調整用画像の投写表示禁止状態）にプロジェクタ３をセットする。
【００２６】
次いで、デジタルカメラ２における操作部１５のモード切替スイッチ２４を操作して、再生モードに切り替える。この際に、制御部１７は、操作部１５から出力された操作信号Ｓｏに従い、画像データ記憶部１２から画像データＤｇを読み出して表示部１４に転送することにより、その画像データＤｇに基づく記録画像Ｇｒを表示部１４に表示させる。この場合、複数の画像データＤｇが画像データ記憶部１２に記憶されているときには、操作部１５のカーソルキー２５を操作して制御部１７に読み出させる画像データＤｇを切り替えることにより、所望の記録画像Ｇｒを表示部１４に表示させる。また、各画像データＤｇに基づく複数の記録画像Ｇｒを表示部１４に一覧表示（サムネイル表示）させて、カーソルキー２５および決定キー２６の操作によってその中から所望の記録画像Ｇｒを選択することもできる。
【００２７】
続いて、上記の操作によって所望の記録画像Ｇｒを表示部１４に表示させた状態、または上記の操作によって所望の記録画像Ｇｒを選択した状態において、操作部１５の送信スイッチ２７を操作する。この際に、操作部１５が送信スイッチ２７に対応する操作信号Ｓｏを出力し、これに応じて制御部１７が選択された記録画像Ｇｒに対応する画像データＤｇを通信部１６を介してプロジェクタ３に送信する。
【００２８】
一方、プロジェクタ３では、通信部３２がデジタルカメラ２から送信された画像データＤｇを受信し、制御部３１がその画像データＤｇを画像処理部３４に転送する。次いで、画像処理部３４が、画像データＤｇに基づく表示用データＤｉを生成し、制御部３１がその表示用データＤｉを投写部３５に転送する。続いて、投写部３５が、表示用データＤｉに基づいて光変調した投写光Ｌをスクリーン１００に投写する。これにより、図４に示すように、記録画像Ｇｒがスクリーン１００に投写表示される。
【００２９】
ここで、例えば、スクリーン１００に投写表示された記録画像Ｇｒのコントラスト等を変更したいときや、投写表示された記録画像Ｇｒに台形歪みが生じていてその台形歪みを調整したいときには、図６に示すように、操作部１５のモード切替スイッチ２４を操作して調整モードに切り替える。この際に、操作部１５がモード切替スイッチ２４に対応する操作信号Ｓｏを出力し、これに応じて、制御部１７は、図５に示すパラメータ調整処理５０を実行する。このパラメータ調整処理５０では、制御部１７は、現在の各パラメータ値の送信を要求する制御信号Ｓｃを通信部１６を介してプロジェクタ３に送信する（ステップ５１）。これに応じて、プロジェクタ３の制御部３１が、現在設定されている各パラメータの値を示すパラメータデータＤｐを通信部３２を介してデジタルカメラ２に送信する。
【００３０】
次いで、デジタルカメラ２の制御部１７は、ＲＯＭ１３に記録されている調整用画像Ｇａ用の画像データＤｇを読み出して表示部１４に出力する（ステップ５２）。これにより、図６に示すように、調整用画像Ｇａが記録画像Ｇｒに重ね合わせた状態で表示部１４に表示される。この場合、調整用画像Ｇａは、一例として、コントラスト、色調、ブライトネス、画質、ズーム、フォーカスおよび台形歪みなどのパラメータを示すボタン画像と、これらの各パラメータの中から所望のパラメータの選択を促すメッセージとを含んでいる。ここで、各パラメータの中から例えばコントラストを選択するときには、操作部１５のカーソルキー２５および決定キー２６を操作して調整用画像Ｇａ内におけるコントラストに対応するボタン画像を選択した後に、カーソルキー２５を操作してコントラストの値を調整する。
【００３１】
この際に、操作部１５がカーソルキー２５の操作に対応する操作信号Ｓｏを出力し、制御部１７が操作信号Ｓｏおよび上記したパラメータデータＤｐに基づいてコントラスト（パラメータ）調整用の制御信号Ｓｃを生成して、その制御信号Ｓｃを通信部１６を介してプロジェクタ３に送信する（ステップ５３）。これに応じて、プロジェクタ３の制御部３１は、投写部３５を制御することによってコントラストを調整する。この場合、この画像表示システム１では、比較的操作する機会の少ないプロジェクタ３の操作部やプロジェクタ３専用のリモコンを用いることなく、使い慣れたデジタルカメラ２の操作部１５を操作することでプロジェクタ３に対するパラメータの調整が可能となっている。このため、プロジェクタ３に対するパラメータの調整を正確かつ容易に行うことが可能となっている。
【００３２】
続いて、デジタルカメラ２の制御部１７は、上記したカーソルキー２５の操作に対応する操作信号Ｓｏに基づいて表示部１４を制御することにより、表示されている記録画像Ｇｒのコントラストを調整させる。つまり、制御部１７は、コントラスト（パラメータ）の調整結果を反映した状態で記録画像Ｇｒを表示させる（ステップ５４）。このため、ユーザーは、スクリーン１００に投写表示された記録画像Ｇｒを視認することなく、表示部１４に表示されている記録画像Ｇｒを視認することでパラメータの変化を確認することが可能となる。したがって、例えば、スクリーン１００に背を向けた姿勢のままでパラメータを調整することが可能となる結果、このような姿勢での使用が想定されるプレゼンテーションにおける使用の際の利便性を向上させることが可能となる。また、上記したように、デジタルカメラ２の通信部１６とプロジェクタ３の通信部３２とをＵＳＢケーブル４で接続したときに、プロジェクタ３による調整用画像の投写表示が禁止されている。このため、調整用画像の投写表示によって記録画像Ｇｒが隠されたり、調整用画像の投写表示によってその場の雰囲気が害されたりする不都合を解消することが可能となる。続いて、制御部１７は、調整用画像Ｇａ内における終了のボタン画像が選択されたか否かを判別する（ステップ５５）。この場合、他のパラメータを調整する際には、調整用画像Ｇａ内における調整対象のパラメータに対応するボタン画像を選択した後に、上記と同様にして操作部１５のカーソルキー２５を操作する。この際には、制御部１７は、ステップ５５において終了のボタン画像が選択されていないと判別して上記したステップ５３，５４を実行する。これにより、デジタルカメラ２を用いての各パラメータの調整を行うことができる。
【００３３】
ここで、フォーカスのずれや台形歪みは、投写光Ｌを投写して画像を投写表示することに起因して発生するプロジェクタ３に特有の現象であって、ＬＣＤで構成されたデジタルカメラ２の表示部１４に画像を表示する際にはこのような現象は基本的には発生しない。したがって、上記したコントラストの調整方法とは異なり、表示部１４に表示された記録画像Ｇｒを視認してスクリーン１００に投写表示されている記録画像Ｇｒにおけるフォーカスのずれや台形歪みを確認するのは困難である。これに対応するため、プロジェクタ３に対してフォーカス調整および台形歪み調整（以下、台形歪み調整を行う例について説明する）を行う際には、調整用画像Ｇａ内における台形歪みに対応するボタン画像を選択した後に、撮像部１１をスクリーン１００に対向させた状態で操作部１５の調整用撮像ボタン２８を操作する。この際に、制御部１７は、操作部１５から出力される操作信号Ｓｏに従い、デジタルカメラ２を一時的に撮像モードに移行させる。これに応じて、撮像部１１が、スクリーン１００に投写表示されている記録画像Ｇｒを所定の時間間隔（例えば、１／２０秒間隔）で撮像して、撮像データＤｔを出力する。
【００３４】
次いで、制御部１７は、撮像部１１から出力される撮像データＤｔを表示部１４に転送する。これにより、図７に示すように、撮像データＤｔに基づく撮像画像Ｇｐ（動画像）が記録画像Ｇｒに代えて表示部１４に表示される。次いで、上記と同様にして操作部１５のカーソルキー２５を操作する。この際に、制御部１７は、操作部１５から出力される操作信号Ｓｏに基づいて台形歪み調整用の制御信号Ｓｃを生成して、その制御信号Ｓｃを通信部１６を介してプロジェクタ３に送信する（ステップ５３）。これに応じて、プロジェクタ３の制御部３１は、投写部３５を制御することによって台形歪みを調整する。この場合、撮像部１１によって撮像された撮像画像Ｇｐが表示部１４に表示されるため、ユーザーは、この場合においても、スクリーン１００に投写表示された記録画像Ｇｒを視認することなく、表示部１４に表示されている撮像画像Ｇｐを視認することで台形歪みの変化を確認することが可能となる。
【００３５】
次いで、制御部１７は、上記したステップ５４を省略して、続いて、撮像画像Ｇｐ内の終了のボタン画像が選択されたか否かを判別する（ステップ５５）。この場合、制御部１７は、終了のボタン画像が選択されていないと判別したときにはステップ５３，５４を実行し、終了のボタン画像が選択されたと判別したときにはパラメータ調整処理５０を終了する。
【００３６】
このように、このデジタルカメラ２、画像表示システム１およびパラメータ調整方法によれば、デジタルカメラ２から通信部１６を介して制御信号Ｓｃをプロジェクタ３に送信してプロジェクタ３に対してパラメータを調整させることにより、比較的操作する機会の少ないプロジェクタ３の操作部やプロジェクタ３専用のリモコンを用いることなく、使い慣れたデジタルカメラ２の操作部１５を操作することでプロジェクタ３に対するパラメータの調整を行うことができる。したがって、このデジタルカメラ２、画像表示システム１およびパラメータ調整方法によれば、プロジェクタ３に対するパラメータの調整を十分正確かつ十分容易に行うことができる。
【００３７】
また、このデジタルカメラ２によれば、画像データ記憶部１２に記録されている画像データＤｇの中から選択された画像データＤｇを通信部１６を介してプロジェクタ３に送信することにより、デジタルカメラ２を用いて撮像して記録した画像データＤｇに基づく記録画像Ｇｒをプロジェクタ３を用いて投写表示させる際に、画像データＤｇの選択操作に引き続いてパラメータの調整操作を行うことができる。このため、例えば、記録画像Ｇｒ（画像データＤｇ）を切り替えたときに、パラメータの調整が必要となったとしても、その状況に即座に対応することができる。
【００３８】
また、このデジタルカメラ２によれば、パラメータの調整結果を反映した状態で記録画像Ｇｒを表示部１４に表示させることにより、スクリーン１００に投写表示された記録画像Ｇｒを視認することなく、表示部１４に表示されている記録画像Ｇｒを視認することでパラメータの変化を確認することができる。したがって、例えば、スクリーン１００に背を向けた姿勢のままでパラメータを調整することができるため、このような姿勢での使用が想定されるプレゼンテーション等における使用の際の利便性を十分に向上させることができる。
【００３９】
また、このデジタルカメラ２によれば、パラメータを調整する際に撮像画像Ｇｐを表示部１４に表示させることにより、例えば、フォーカスのずれや台形歪みのように、投写光Ｌを投写して画像を投写表示することに起因して発生するプロジェクタ３に特有のパラメータを調整する場合においても、投写表示された記録画像Ｇｒを視認することなく、表示部１４に表示されている撮像画像Ｇｐを視認することでこれらのパラメータの変化を確認することができる。
【００４０】
また、このデジタルカメラ２によれば、通信部１６とプロジェクタ３の通信部３２とがＵＳＢケーブル４で接続されたときに、パラメータを調整するための調整用画像のプロジェクタ３による投写表示を禁止することにより、例えば、プレゼンテーションにおいてプロジェクタ３を用いて記録画像Ｇｒを投写表示させている最中にパラメータの調整が必要となったとしても、調整用画像を投写表示させることなくパラメータの調整を行うことができる。このため、調整用画像の表示によって記録画像Ｇｒが隠されたり、調整用画像の表示によってその場の雰囲気が害されたりする不都合を確実に解消することができる。
【００４１】
なお、本発明は、上記の構成に限定されない。例えば、画像データ記憶部１２に記録されている画像データＤｇに基づく記録画像Ｇｒをプロジェクタ３を用いて投写表示させる例について上記したが、メモリカード等の外部のメディアに記録されている画像データＤｇをデジタルカメラ２を用いて読み出して、プロジェクタ３に投写表示させることもできる。また、デジタルカメラ２とは異なる他の装置からプロジェクタ３に画像データＤｇを送信させ、パラメータの調整のみをデジタルカメラ２を用いて行う構成を採用することもできる。
【００４２】
また、フォーカス調整や台形歪み調整を行う際に、動画像としての撮像画像Ｇｐを表示させる例について上記したが、フォーカス調整や台形歪み調整の開始時にシャッターボタン２３を操作して撮像した静止画像を表示部１４に表示させると共に、調整結果をその静止画像に反映させることもできる。具体的には、例えば、静止画像の画像解析によって台形歪みの量を算出すると共に、算出した台形歪みの量とカーソルキー２５の操作量（操作回数）とに基づいて台形歪みの補正量を算出して、その補正量を反映させた状態の静止画像を表示部１４に表示させる。この構成によれば、フォーカス調整や台形歪み調整の開始時に静止画像を１回撮像するだけで、その後のカーソルキー２５の操作時点においてスクリーン１００とは異なる方向にデジタルカメラ２を向けたとしても、フォーカス調整や台形歪み調整を行うことができる。
【００４３】
また、主として静止画像（スチール写真）を撮像するデジタルカメラ２を例に挙げて説明したが、本発明におけるデジタルカメラには、動画像を主として撮像するビデオカメラも含まれる。
【図面の簡単な説明】
【００４４】
【図１】画像表示システム１の構成を示す構成図である。
【図２】デジタルカメラ２の背面図である。
【図３】画像表示システム１の構成を示すブロック図である。
【図４】画像表示システム１における画像表示方法を説明する説明図である。
【図５】パラメータ調整処理５０のフローチャートである。
【図６】画像表示システム１におけるパラメータ調整方法を説明する説明図である。
【図７】画像表示システム１における台形歪み調整方法を説明する説明図である。
【符号の説明】
【００４５】
１  画像表示システム、２  デジタルカメラ、３  プロジェクタ、１１  撮像部、１２  画像データ記憶部、１４  表示部、１６  通信部、１７  制御部、５０  パラメータ調整処理、Ｄｇ  画像データ、Ｇｐ  撮像画像、Ｓｃ  制御信号
【図１】
2008079070.tif 000003
【図２】
2008079070.tif 000004
【図３】
2008079070.tif 000005
【図４】
2008079070.tif 000006
【図５】
2008079070.tif 000007
【図６】
2008079070.tif 000008
【図７】
2008079070.tif 000009